(57)【要約】【課題】電子タグシールを保護する構成を取り外すだけで、電子タグシールの不正な再利用を阻止するための処理を簡単に実行することができる遊技機を提供する。【解決手段】電子タグシール３６を被覆する保護カバー部材３７と、該保護カバー部材３７を電子タグシール３６の延在方向に沿ってスライドさせるカバースライド機構１１５と、電子タグシール３６を切って破壊するためのシール破壊機構１１６と、を備え、シール破壊機構１１６は、保護カバー部材３７のスライド方向に沿って貼着部４６に形成された破壊用凹部１２８と、保護カバー部材３７から突設された破壊用凸部１２９と、を備え、保護カバー部材３７をシール被覆位置からスライドして基板ボックス３４から取り外すと、破壊用凸部１２９が破壊用凹部１２８内を移動して、電子タグシール３６のうち破壊用凹部１２８を覆う部分を切って電子タグシール３６を破壊するように構成した。【選択図】図１１
2011130886.tif 000002
【特許請求の範囲】
【請求項１】
遊技制御実行用の電子部品が実装された制御基板と、該制御基板を内部に収納するための基板ボックスと、予め記憶された固有の識別情報を発信可能な電子タグを有する電子タグシールと、を備え、前記基板ボックスの表面には、前記電子タグシールを貼着するための貼着部を備えた遊技機において、
前記貼着部に貼着された前記電子タグシールを被覆するための保護カバー部材と、
該保護カバー部材を前記電子タグシールの延在方向に沿ってスライドさせて、前記基板ボックスに対して着脱可能とするカバースライド機構と、
前記貼着部に貼着された前記電子タグシールを切って破壊するためのシール破壊機構と、を備え、
前記シール破壊機構は、
前記保護カバー部材のスライド方向に沿って前記貼着部に形成された破壊用凹部と、
前記保護カバー部材から突設され、前記破壊用凹部内を移動可能な破壊用凸部と、を備え、
前記保護カバー部材が前記電子タグシールを被覆する位置をシール被覆位置とし、前記保護カバー部材を前記シール被覆位置からスライドして前記基板ボックスから取り外すと、前記破壊用凸部が前記破壊用凹部内を移動して、前記電子タグシールのうち前記破壊用凹部を覆う部分を切って前記電子タグシールを破壊するように構成されたことを特徴とする遊技機。
【請求項２】
前記保護カバー部材を前記基板ボックスへの取付時に前記シール被覆位置へ向けてスライドする方向を取付スライド方向とし、
前記カバースライド機構には、前記保護カバー部材を前記取付スライド方向とは反対方向へスライドすることを規制するカバースライド規制部を備え、
該カバースライド規制部は、前記保護カバー部材または前記基板ボックスのいずれか一方に設けられたスライド規制片と、他方に設けられたスライド規制受部とから構成され、
前記保護カバー部材を前記シール被覆位置に位置させると、前記スライド規制片と前記スライド規制受部とが係止して前記保護カバー部材の前記取付スライド方向とは反対方向へのスライドを規制し、
前記保護カバー部材を前記シール被覆位置から前記取付スライド方向へスライドすると、前記スライド規制片が撓んで前記スライド規制受部から外れ、前記保護カバー部材の前記取付スライド方向へのスライドを許容することを特徴とする請求項１に記載の遊技機。
【請求項３】
前記シール被覆位置に位置する前記保護カバー部材を前記基板ボックスへ止着するカバー止着機構を備え、該カバー止着機構を破壊しない限り前記保護カバー部材の止着を解除不能とし、
前記カバー止着機構は、前記保護カバー部材に設けられたカバー止着体と、前記基板ボックスに設けられたカバー止着受部と、前記カバー止着体と前記カバー止着受部とを止着可能、且つ止着状態を解除不能とするカバー止着具と、を備えて構成され、
前記カバー止着体には、前記基板ボックスに前記取付スライド方向から当接するボックス当接片を設け、該ボックス当接片が前記基板ボックスに当接すると、前記保護カバー部材が前記シール被覆位置に位置決めされるように構成され、
前記カバー止着機構を破壊して前記保護カバー部材を前記基板ボックスから取り外すと、前記基板ボックスに前記カバー止着体を前記ボックス当接片が当接した状態で残すことを特徴とする請求項２に記載の遊技機。
【請求項４】
前記基板ボックスは、前記破壊用凸部に前記取付スライド方向から当接可能な凸部当接部材を備え、
前記保護カバー部材を前記シール被覆位置に位置させると、前記凸部当接部材が前記破壊用凸部に前記取付スライド方向から当接して前記破壊用凸部を被覆し、前記破壊用凸部および前記保護カバー部材の前記取付スライド方向とは反対方向へのスライドを規制することを特徴とする請求項３に記載の遊技機。
【請求項５】
前記基板ボックスは、第１ケース部材と、第２ケース部材と、両ケース部材を閉じた状態で固着して封止するための封止機構と、を備え、該封止機構を破壊しない限り当該基板ボックスの封止を解除不能とし、
前記封止機構は、前記ケース被覆位置から前記取付スライド方向へずれた位置、且つ前記カバースライド機構によりスライドしている前記保護カバー部材が当接可能な位置に配置されたことを特徴とする請求項４に記載の遊技機。
【請求項６】
前記基板ボックスは、前記封止機構の破壊後に前記第１ケース部材と前記第２ケース部材とを閉じた状態で再固着して封止するための再封止機構を備え、該再封止機構の剛性を前記封止機構の剛性よりも強く設定して、前記再封止機構を前記封止機構よりも破壊し難い構成とし、
前記再封止機構は、前記封止機構から前記取付スライド方向へずれた位置、且つ前記カバースライド機構によりスライドしている前記保護カバー部材が当接不能な位置に配置されたことを特徴とする請求項５に記載の遊技機。
【請求項７】
前記貼着部は、前記第１ケース部材に形成される箇所と前記第２ケース部材に形成される箇所とに分割される状態で構成されたことを特徴とする請求項６に記載の遊技機。
【請求項８】
前記電子タグシールは、前記電子タグのうち前記破壊用凹部に重合可能な位置に、固有の識別情報を記憶したチップ部を配置し、
前記保護カバー部材を前記シール被覆位置からスライドして基板ボックスから取り外すと、前記破壊用凸部が前記チップ部を押圧して前記電子タグシールから脱離させることを特徴とする請求項７に記載の遊技機。
【発明の詳細な説明】
【技術分野】
【０００１】
本発明は、遊技制御実行用の電子部品が実装された制御基板と、該制御基板を内部に収納するための基板ボックスと、予め記憶された固有の識別情報を発信可能な電子タグを有する電子タグシールと、を備え、基板ボックスの表面には、電子タグシールを貼着するための貼着部を備えたパチンコ遊技機等の遊技機に関する。
【背景技術】
【０００２】
従来の遊技機、例えば、パチンコ遊技機やスロットマシンに搭載された遊技制御装置（メイン制御装置）は、各種の電子部品が実装された遊技制御基板を基板ボックスに収納した構成となっている。この基板ボックスは、ベースとなる第１ケース部材と、蓋となる第２ケース部材とから構成され、第１ケース部材と第２ケース部材を重ねると遊技制御基板を収納できる空間部が形成されるようになっている。そして、第２ケース部材には、遊技制御基板上のコネクタ部を外部に露出できる開口部が形成され、遊技制御基板はコネクタ部のみを外部に露出した状態でボックス内に収納可能としている。この種の遊技機では、遊技制御基板を正規のものとは異なる不正なものに交換したりする等の不正行為の発生が数多く報告されている。
【０００３】
このような不正行為に対処すべく、近年では、基板ボックスに、固有ＩＤ等の識別情報が記憶されたチップ部（ＩＣチップ部）及びアンテナ部を含む電子タグシールを第１ケース部材と第２ケース部材とに跨って貼り付け、第１ケース部材と第２ケース部材を分離させるとアンテナ部が切断することで、チップ部から外部の読取装置へ識別情報が発信できないようにしたものが提案されている（例えば、特許文献１参照）。
【先行技術文献】
【特許文献】
【０００４】
【特許文献１】特開２００８−１１３７１０号公報
【発明の概要】
【発明が解決しようとする課題】
【０００５】
ところで、上記特許文献に記載された遊技制御装置は、電子タグシールを露出した状態で貼着しているため、不正行為者が再利用目的で電子タグシールを不正に剥がし易い。具体的には、不正行為者が特殊な溶液等を使用したりドライヤー等で加熱したりして電子タグシールの粘着力を弱め、この状態で電子タグシールを破らずに剥がす虞がある。そして、不正に剥がされた電子タグシールが不正行為者により別個に準備された不正な遊技制御装置（詳しくは不正に改竄された遊技制御基板を収納する遊技制御装置）に貼着されてしまうと、不正な遊技制御装置であるにも拘らず、電子タグシールからは正規の識別情報が発信されるため、不正な遊技制御基板が収納されていることを判別することができない。そこで、電子タグシールを保護するカバーを装着することが考えられるが、単にカバーを装着しただけでは、不正行為者が電子タグシールを損傷させずにカバーを取り外し、露出した電子タグシールをきれいに剥がしてしまう虞がある。
【０００６】
そこで、本発明は、上記の事情に鑑みてなされたものであり、その目的は、電子タグシールを保護する構成を取り外すだけで、電子タグシールの不正な再利用を阻止するための処理を簡単に実行することができる遊技機を提供しようとするものである。
【課題を解決するための手段】
【０００７】
本発明は、上記目的を達成するために提案されたものであり、請求項１に記載のものは、遊技制御実行用の電子部品が実装された制御基板と、該制御基板を内部に収納するための基板ボックスと、予め記憶された固有の識別情報を発信可能な電子タグを有する電子タグシールと、を備え、前記基板ボックスの表面には、前記電子タグシールを貼着するための貼着部を備えた遊技機において、
前記貼着部に貼着された前記電子タグシールを被覆するための保護カバー部材と、
該保護カバー部材を前記電子タグシールの延在方向に沿ってスライドさせて、前記基板ボックスに対して着脱可能とするカバースライド機構と、
前記貼着部に貼着された前記電子タグシールを切って破壊するためのシール破壊機構と、を備え、
前記シール破壊機構は、
前記保護カバー部材のスライド方向に沿って前記貼着部に形成された破壊用凹部と、
前記保護カバー部材から突設され、前記破壊用凹部内を移動可能な破壊用凸部と、を備え、
前記保護カバー部材が前記電子タグシールを被覆する位置をシール被覆位置とし、前記保護カバー部材を前記シール被覆位置からスライドして前記基板ボックスから取り外すと、前記破壊用凸部が前記破壊用凹部内を移動して、前記電子タグシールのうち前記破壊用凹部を覆う部分を切って前記電子タグシールを破壊するように構成されたことを特徴とする遊技機である。
【０００８】
請求項２に記載のものは、前記保護カバー部材を前記基板ボックスへの取付時に前記シール被覆位置へ向けてスライドする方向を取付スライド方向とし、
前記カバースライド機構には、前記保護カバー部材を前記取付スライド方向とは反対方向へスライドすることを規制するカバースライド規制部を備え、
該カバースライド規制部は、前記保護カバー部材または前記基板ボックスのいずれか一方に設けられたスライド規制片と、他方に設けられたスライド規制受部とから構成され、
前記保護カバー部材を前記シール被覆位置に位置させると、前記スライド規制片と前記スライド規制受部とが係止して前記保護カバー部材の前記取付スライド方向とは反対方向へのスライドを規制し、
前記保護カバー部材を前記シール被覆位置から前記取付スライド方向へスライドすると、前記スライド規制片が撓んで前記スライド規制受部から外れ、前記保護カバー部材の前記取付スライド方向へのスライドを許容することを特徴とする請求項１に記載の遊技機である。
【０００９】
請求項３に記載のものは、前記シール被覆位置に位置する前記保護カバー部材を前記基板ボックスへ止着するカバー止着機構を備え、該カバー止着機構を破壊しない限り前記保護カバー部材の止着を解除不能とし、
前記カバー止着機構は、前記保護カバー部材に設けられたカバー止着体と、前記基板ボックスに設けられたカバー止着受部と、前記カバー止着体と前記カバー止着受部とを止着可能、且つ止着状態を解除不能とするカバー止着具と、を備えて構成され、
前記カバー止着体には、前記基板ボックスに前記取付スライド方向から当接するボックス当接片を設け、該ボックス当接片が前記基板ボックスに当接すると、前記保護カバー部材が前記シール被覆位置に位置決めされるように構成され、
前記カバー止着機構を破壊して前記保護カバー部材を前記基板ボックスから取り外すと、前記基板ボックスに前記カバー止着体を前記ボックス当接片が当接した状態で残すことを特徴とする請求項２に記載の遊技機である。
【００１０】
請求項４に記載のものは、前記基板ボックスは、前記破壊用凸部に前記取付スライド方向から当接可能な凸部当接部材を備え、
前記保護カバー部材を前記シール被覆位置に位置させると、前記凸部当接部材が前記破壊用凸部に前記取付スライド方向から当接して前記破壊用凸部を被覆し、前記破壊用凸部および前記保護カバー部材の前記取付スライド方向とは反対方向へのスライドを規制することを特徴とする請求項３に記載の遊技機である。
【００１１】
請求項５に記載のものは、前記基板ボックスは、第１ケース部材と、第２ケース部材と、両ケース部材を閉じた状態で固着して封止するための封止機構と、を備え、該封止機構を破壊しない限り当該基板ボックスの封止を解除不能とし、
前記封止機構は、前記ケース被覆位置から前記取付スライド方向へずれた位置、且つ前記カバースライド機構によりスライドしている前記保護カバー部材が当接可能な位置に配置されたことを特徴とする請求項４に記載の遊技機である。
【００１２】
請求項６に記載のものは、前記基板ボックスは、前記封止機構の破壊後に前記第１ケース部材と前記第２ケース部材とを閉じた状態で再固着して封止するための再封止機構を備え、該再封止機構の剛性を前記封止機構の剛性よりも強く設定して、前記再封止機構を前記封止機構よりも破壊し難い構成とし、
前記再封止機構は、前記封止機構から前記取付スライド方向へずれた位置、且つ前記カバースライド機構によりスライドしている前記保護カバー部材が当接不能な位置に配置されたことを特徴とする請求項５に記載の遊技機である。
【００１３】
請求項７に記載のものは、前記貼着部は、前記第１ケース部材に形成される箇所と前記第２ケース部材に形成される箇所とに分割される状態で構成されたことを特徴とする請求項６に記載の遊技機である。
【００１４】
請求項８に記載のものは、前記電子タグシールは、前記電子タグのうち前記破壊用凹部に重合可能な位置に、固有の識別情報を記憶したチップ部を配置し、
前記保護カバー部材を前記シール被覆位置からスライドして基板ボックスから取り外すと、前記破壊用凸部が前記チップ部を押圧して前記電子タグシールから脱離させることを特徴とする請求項７に記載の遊技機である。
【発明の効果】
【００１５】
本発明によれば、以下のような優れた効果を奏する。
請求項１に記載の発明によれば、遊技制御実行用の電子部品が実装された制御基板と、該制御基板を内部に収納するための基板ボックスと、予め記憶された固有の識別情報を発信可能な電子タグを有する電子タグシールと、を備え、基板ボックスの表面には、電子タグシールを貼着するための貼着部を備えた遊技機において、貼着部に貼着された電子タグシールを被覆するための保護カバー部材と、該保護カバー部材を電子タグシールの延在方向に沿ってスライドさせて、基板ボックスに対して着脱可能とするカバースライド機構と、貼着部に貼着された電子タグシールを切って破壊するためのシール破壊機構と、を備え、シール破壊機構は、保護カバー部材のスライド方向に沿って貼着部に形成された破壊用凹部と、保護カバー部材から突設され、破壊用凹部内を移動可能な破壊用凸部と、を備え、保護カバー部材が電子タグシールを被覆する位置をシール被覆位置とし、保護カバー部材をシール被覆位置からスライドして基板ボックスから取り外すと、破壊用凸部が破壊用凹部内を移動して、電子タグシールのうち破壊用凹部を覆う部分を切って電子タグシールを破壊するように構成されたので、電子タグシールを保護する構成を取り外すだけで電子タグシールを破壊することができ、電子タグシールの不正な再利用を阻止するための処理を簡単に実行することができる。
【００１６】
請求項２に記載の発明によれば、保護カバー部材を基板ボックスへの取付時にシール被覆位置へ向けてスライドする方向を取付スライド方向とし、カバースライド機構には、保護カバー部材を取付スライド方向とは反対方向へスライドすることを規制するカバースライド規制部を備え、該カバースライド規制部は、保護カバー部材または基板ボックスのいずれか一方に設けられたスライド規制片と、他方に設けられたスライド規制受部とから構成され、保護カバー部材をシール被覆位置に位置させると、スライド規制片とスライド規制受部とが係止して保護カバー部材の取付スライド方向とは反対方向へのスライドを規制し、保護カバー部材をシール被覆位置から取付スライド方向へスライドすると、スライド規制片が撓んでスライド規制受部から外れ、保護カバー部材の取付スライド方向へのスライドを許容するので、電子タグシールが破壊されずに保護カバー部材が取り外される不都合、ひいては電子タグシールが破壊されていない状態で部品取りされて不正に再利用される不都合を阻止することができる。
【００１７】
請求項３に記載の発明によれば、シール被覆位置に位置する保護カバー部材を基板ボックスへ止着するカバー止着機構を備え、該カバー止着機構を破壊しない限り保護カバー部材の止着を解除不能とし、カバー止着機構は、保護カバー部材に設けられたカバー止着体と、基板ボックスに設けられたカバー止着受部と、カバー止着体とカバー止着受部とを止着可能、且つ止着状態を解除不能とするカバー止着具と、を備えて構成され、カバー止着体には、基板ボックスに取付スライド方向から当接するボックス当接片を設け、該ボックス当接片が基板ボックスに当接すると、保護カバー部材がシール被覆位置に位置決めされるように構成され、カバー止着機構を破壊して保護カバー部材を基板ボックスから取り外すと、基板ボックスにカバー止着体をボックス当接片が当接した状態で残すので、基板ボックスにカバー止着体およびボックス当接片を保護カバー部材の取り外し動作の痕跡として残すことができ、保護カバー部材が取り外されたことを容易に把握することができる。
【００１８】
請求項４に記載の発明によれば、基板ボックスは、破壊用凸部に取付スライド方向から当接可能な凸部当接部材を備え、保護カバー部材をシール被覆位置に位置させると、凸部当接部材が破壊用凸部に取付スライド方向から当接して破壊用凸部を被覆し、破壊用凸部および保護カバー部材の取付スライド方向とは反対方向へのスライドを規制するので、保護カバー部材の取付スライド方向へのスライドを阻止する構成で、破壊用凸部が不正に保護カバー部材から切除されることをも阻止することができる。
【００１９】
請求項５に記載の発明によれば、基板ボックスは、第１ケース部材と、第２ケース部材と、両ケース部材を閉じた状態で固着して封止するための封止機構と、を備え、該封止機構を破壊しない限り当該基板ボックスの封止を解除不能とし、封止機構は、ケース被覆位置から取付スライド方向へずれた位置、且つカバースライド機構によりスライドしている保護カバー部材が当接可能な位置に配置されたので、基板ボックスを封止するための構成で保護カバー部材の取り外しを規制することができる。
【００２０】
請求項６に記載の発明によれば、基板ボックスは、封止機構の破壊後に第１ケース部材と第２ケース部材とを閉じた状態で再固着して封止するための再封止機構を備え、該再封止機構の剛性を封止機構の剛性よりも強く設定して、再封止機構を封止機構よりも破壊し難い構成とし、再封止機構は、封止機構から取付スライド方向へずれた位置、且つカバースライド機構によりスライドしている保護カバー部材が当接不能な位置に配置されたので、封止機構の破壊後から新品交換までの間に基板ボックスおよび制御基板を仮使用（例えば、基板ボックスおよび制御基板に異常がないことを確認した上で一時的に使用）する場合であっても、再封止機構を用いて基板ボックスを封止することができる。また、再封止機構が保護カバー部材の取り外し作業の邪魔にならず、保護カバー部材の取り外し後に利用する予定の再封止機構を破壊する必要がない。さらに、遊技機から外されて交換される予定の基板ボックス、言い換えると、仮使用終了後に開封不要な基板ボックスにおいて、再封止機構を無駄に破壊し易くしておかずに済み、制御基板に対するセキュリティが不必要に弱くなる不都合を抑制することができる。
【００２１】
請求項７に記載の発明によれば、貼着部は、第１ケース部材に形成される箇所と第２ケース部材に形成される箇所とに分割される状態で構成されたので、基板ボックスを開く動作によっても電子タグシールを破壊することができ、電子タグシールの不正な再利用を確実に阻止することができる。
【００２２】
請求項８に記載の発明によれば、電子タグシールは、電子タグのうち破壊用凹部に重合可能な位置に、固有の識別情報を記憶したチップ部を配置し、保護カバー部材をシール被覆位置からスライドして基板ボックスから取り外すと、破壊用凸部がチップ部を押圧して電子タグシールから脱離させるので、保護カバー部材を取り外せば、電子タグシールの発信機能（詳しくは識別情報を発信する機能）を無効化することができ、電子タグシールが不正に再利用される不都合を一層阻止することができる。
【図面の簡単な説明】
【００２３】
【図１】前面側を開放した状態のパチンコ遊技機の斜視図である。
【図２】パチンコ遊技機の背面図である。
【図３】遊技制御装置の後方から見た分解斜視図である。
【図４】第１ケース部材の説明図であり、（ａ）は後方から見た斜視図、（ｂ）は前方から見た左右両側部の部分拡大図である。
【図５】第２ケース部材の説明図であり、（ａ）は後方から見た斜視図、（ｂ）は前方から見た左右両側部の部分拡大図である。
【図６】（ａ）は嵌脱部に係合爪を通した状態の基板ボックスの説明図、（ｂ）は（ａ）の状態から第２ケース部材を係合方向へスライドした状態の基板ボックスの説明図である。
【図７】貼着ベースの斜視図である。
【図８】電子タグシールの説明図であり、（ａ）はベースシート側から見た図、（ｂ）は粘着層側から見た図、（ｃ）は分解斜視図である。
【図９】保護カバー部材の説明図であり、（ａ）は後方から見た斜視図、（ｂ）は前方から見た斜視図である。
【図１０】保護カバー部材を貼着ベースに取り付ける直前状態の説明図である。
【図１１】保護カバー部材を貼着ベースに取り付けた状態の説明図である。
【図１２】（ａ）は保護カバー部材を取り付けた貼着ベースの背面図、（ｂ）は（ａ）のＸ−Ｘ断面図、（ｃ）は（ａ）のＹ−Ｙ断面図である。
【図１３】右側封止機構を切除し、カバー止着機構を破壊した状態の基板ボックスの説明図である。
【図１４】保護カバー部材をシール被覆位置から取付スライド方向へスライドした状態の基板ボックスの部分拡大図である。
【図１５】保護カバー部材を取り外し、左側封止機構を破壊した状態の基板ボックスの説明図である。
【発明を実施するための形態】
【００２４】
以下、代表的な遊技機であるパチンコ遊技機を例に挙げて本発明の実施の形態を図面に基づき説明する。
パチンコ遊技機１は、機枠（外枠）２の前面に、大きな矩形状開口を有する略額縁状の前面枠（内枠）３を開閉可能に軸着し、この前面枠３のベースとなる前面枠本体４に矩形状の遊技盤５を前方から収納可能とし、遊技盤５の表面には遊技領域６を区画形成している。また、前面枠３の前側には、一側（図１中、左側）が軸着された透明部材保持枠８を開閉可能に設け、該透明部材保持枠８に透視可能な透明部材９を保持し、透明部材９を通して遊技領域６をパチンコ遊技機１の前方から透視できるように構成している。さらに、透明部材保持枠８の下方には、一側（図１中、左側）が前面枠３に軸着された上皿ユニット１１を開閉（回動）可能に設け、該上皿ユニット１１の下方には、下皿ユニット１２を上皿ユニット１１に対して左右方向にずれた位置に配置している。そして、下皿ユニット１２の側部（図１中、右側部）には、発射装置（図示せず）を操作するための発射操作ユニット（発射操作ハンドル）１４を備えている。
【００２５】
また、図２に示すように、前面枠本体４の裏面側には裏機構盤１８を形成し、該裏機構盤１８に略矩形状の開口窓部１９を開設し、前面枠本体４に遊技盤５を前方から交換可能な状態で取り付けるとともに、遊技盤５の後部（裏面側部）を開口窓部１９から後方へ臨ませている。さらに、裏機構盤１８には一連の裏機構部品を設けている。具体的に説明すると、裏機構盤１８の上部には球排出機構２０を取り付け、下部にはサブ制御装置の一種である排出制御装置２１、電源装置２２、中継基板２３等をそれぞれ取り付けている。球排出機構２０は、上流側から順に、球導出シュートを下部に備えた球タンク２４、球タンク２４の球導出シュートから遊技球を案内する案内流路２５、案内流路２５の下端に接続された球排出装置２６、球排出装置２６から流下した遊技球を上皿ユニット１１へ送る球流下路２７等を並べて構成されており、排出制御装置２１からの制御信号に基づいて遊技球の排出を実行するように構成されている。
【００２６】
そして、遊技盤５の裏面のうち、裏機構盤１８の開口窓部１９から臨む部分に、略矩形状の大きな遊技盤カバー２８を備えた裏側ベース２９と横長な装着ベース３０とを上下に並べた状態で配置し、上側の裏側ベース２９の内部には、サブ制御装置の一種である演出制御装置（図示せず）を装着し、下側の装着ベース３０の裏面側には、メイン制御装置である遊技制御装置３２を着脱可能な状態で装着している。
【００２７】
次に、遊技制御装置３２について説明する。
遊技制御装置３２は、遊技盤５の左右方向に沿って延在する薄い箱状のユニットであり、図３に示すように、透光性を有して内部を透視可能な樹脂製（例えば無色透明な樹脂製）の基板ボックス３４と、該基板ボックス３４内に収容された矩形状の制御基板３５と、当該遊技制御装置３２を識別するための電子タグシール３６と、該電子タグシール３６を保護する保護カバー部材３７とを備えて構成されており、制御基板３５にはＣＰＵ等からなる遊技制御実行用の電子部品３５ａや配線接続用の配線コネクタ３５ｂを実装している。
【００２８】
基板ボックス３４は、装着ベース３０に装着された状態で当該基板ボックス３４の表側（遊技盤５の前寄り）に配置される第１ケース部材（ベース部材）４１と、当該基板ボックス３４の裏側（遊技盤５の後寄り）に配置されて第１ケース部材４１に重合する第２ケース部材（蓋部材）４２とから構成されている。そして、両ケース部材４１，４２を重合して閉じた状態（重合状態または閉状態）で当該基板ボックス３４の内部に制御基板３５を収納可能とし、第２ケース部材４２には、配線コネクタ３５ｂを露出させるためのコネクタ開口４２ａを開設している。また、図３に示すように、基板ボックス３４の上下両縁部には、第１ケース部材４１と第２ケース部材４２とを閉状態で係合する係合機構４３を備え、基板ボックス３４の一側（図３中、右側）にはブロック状の貼着ベース４４を設け、該貼着ベース４４の外面、言い換えると基板ボックス３４の外面（表面）に、電子タグシール３６を貼着するための貼着部４６を電子タグシール３６よりも僅かに広く設定された状態で備えている。そして、基板ボックス３４の左右両側部、言い換えると基板ボックス３４の長手方向の両端部には、第１ケース部材４１と第２ケース部材４２とを閉じた状態で封止し、且つ破壊しない限り基板ボックス３４の封止を解除不能とするボックス封止ユニット４７を、第１ケース部材４１と第２ケース部材４２との境界に跨る状態で設けている。
【００２９】
係合機構４３は、第１ケース部材４１の上下両端部に設けられた係合溝部５０（図４（ａ）参照）と、第２ケース部材４２の上下両端部から延設された係合片５１（図５（ａ）参照）とから構成されており、係合溝部５０を基板ボックス３４の横向き延在方向（言い換えると遊技盤５の左右方向）に沿って延在するとともに、基板ボックス３４の中央側へ向けて開放して、係合片５１を係合溝部５０の延在方向に沿って摺動可能としている。また、図４（ａ）に示すように、係合溝部５０の裏側を区画する裏側壁部の側部（図４（ａ）中、右側部）を後方の第２ケース部材４２側へ向けて開放して嵌脱部５２を形成し、該嵌脱部５２を介して係合片５１を係合溝部５０へ嵌脱できるように構成されている。
【００３０】
このような構成の係合機構４３を備えた第１ケース部材４１と第２ケース部材４２とを取り付けるには、まず、第２ケース部材４２を重合方向（図３中、矢印Ａで示す方向）へ移動して第１ケース部材４１へ裏側から近づけ、嵌脱部５２に係合片５１を通して第１ケース部材４１と第２ケース部材４２とを重合する（図６（ａ）参照）。さらに、第２ケース部材４２を第１ケース部材４１の一側寄り（図６（ａ）中、左寄り）へ向かう係合方向（図６（ａ）中、矢印Ｂで示す方向）へスライドして係合片５１を係合溝部５０の一側部（図６（ａ）中、左側部）へ摺動する。すると、図６（ｂ）に示すように、係合片５１が基板ボックス３４の裏方向へ移動することを係合溝部５０の裏側壁部により規制され、第１ケース部材４１と第２ケース部材４２とを取り付けて閉じた状態（係合状態）にすることができる。一方、第１ケース部材４１から第２ケース部材４２を外す（分離する）には、第２ケース部材４２を第１ケース部材４１の他側寄り（図６（ａ）中、右寄り）へ向かう係合解除方向（図６（ａ）中、矢印Ｃで示す方向）へスライドして係合片５１を嵌脱部５２へ臨ませ（図６（ａ）参照）、この状態で第２ケース部材４２を基板ボックス３４の裏方向へ向かう離間方向（図３中、矢印Ｄで示す方向）へ移動して第１ケース部材４１から離間する。したがって、第２ケース部材４２は、基板ボックス３４の重合方向Ａへ移動した後に係合方向Ｂへスライドして第１ケース部材４１へ係合される。一方、第１ケース部材４１への係合状態から係合解除方向Ｃへスライドした後に離間方向Ｄへ移動すれば、第１ケース部材４１から離間する。
【００３１】
貼着ベース４４は、図３〜図７に示すように、第１ケース部材４１の側部（図４（ａ）中、右側部）に設けられた縦向き矩形状の第１ベース部５６と、第２ケース部材４２の側部（図５（ａ）中、右側部）に設けられた縦向き矩形状の第２ベース部５７とを前後に重ね合わせて構成されている。また、第１ベース部５６の側端面（図４（ａ）中、右端面）には、縦長短冊状の第１貼着部５９を形成し、第２ベース部５７の裏面（言い換えるとパチンコ遊技機１の後方に露出する面）から側面（図４（ａ）中、右側面）に亘る箇所には第２貼着部６０を形成し、該第２貼着部６０のうち第２ベース部５７の裏面に臨ませる部分を本体部６０ａとし、該本体部６０ａの側縁（図７中、右側縁）から前方の第１ベース部５６側へ向けて屈曲した部分を屈曲部６０ｂとしている。そして、図７に示すように、第１貼着部５９のうち第２ケース部材４２側に位置する後縁部と、第２貼着部６０の屈曲部６０ｂのうち第１ケース部材４１側に位置する前縁部とを前後に並べて、貼着部４６を側部（図７中、右側部）が基板ボックス３４の前方へ向けて屈曲した状態で構成している。したがって、第１貼着部５９と第２貼着部６０とで構成される貼着部４６は、電子タグシール３６を第１ケース部材４１と第２ケース部材４２とに跨って貼着可能とし、第１ケース部材４１と第２ケース部材４２とを取付・分離するための移動方向（重合方向Ａ、係合方向Ｂ、係合解除方向Ｃ、離間方向Ｄ）に沿って第１ベース部５６と第２ベース部５７とを移動して当該貼着部４６を形成したり分割したりできるように構成されている。言い換えると、貼着部４６は、第１ケース部材４１に形成される箇所（第１貼着部５９）と第２ケース部材４２に形成される箇所（第２貼着部６０）とに分割される状態で構成されている。
【００３２】
また、図３に示すように、第２貼着部６０の本体部６０ａにはベース止着孔６１を電子タグシール３６で閉塞され得る位置および大きさで開設し、第１ベース部５６には、ベース止着孔６１に対向し得る位置にベース止着受部６２を設け、ベース止着孔６１にビス等のベース止着具６３を挿通し、この状態でベース止着具６３の先端をベース止着受部６２に止着して、第１ベース部５６と第２ベース部５７とを重合状態で止着可能としている。なお、貼着部４６の周辺に設けられた構成については、後で詳細に説明する。
【００３３】
次に、ボックス封止ユニット（かしめユニット）４７について説明する。
ボックス封止ユニット４７は、図３に示すように、基板ボックス３４のうち遊技盤５の裏側から見て左端部（図３中、左端部）に位置する左側封止ユニット（言い換えると基板ボックス３４の中央部分から係合方向Ｂの先に位置する一側封止ユニット）４７Ｌと、基板ボックス３４のうち遊技盤５の裏側から見て右端部（図３中、右端部）に位置する右側封止ユニット（言い換えると基板ボックス３４の中央部分から係合解除方向Ｃの先に位置する他側封止ユニット）４７Ｒとから構成されており、右側封止ユニット４７Ｒを貼着ベース４４の上方に配置している。
【００３４】
左側封止ユニット４７Ｌは、第１ケース部材４１と第２ケース部材４２とを閉状態で固着して封止するための左側封止機構６６と、該左側封止機構６６の破壊後に第１ケース部材４１と第２ケース部材４２とを閉状態で再固着して再封止するための左側再封止機構６７とを上下に並んだ状態で備え、左側封止機構６６を基板ボックス３４の下寄りに配置するとともに左側再封止機構６７を基板ボックス３４の上寄りに配置している。
【００３５】
左側封止機構６６は、図３〜図５に示すように、基板ボックス３４の一側（図３中、左側）に接続された左側封止部７０と、ワンウェイねじ等の左側封止具７１と、左側封止具７１を被覆する左側封止カバー７２とを備えている。左側封止部７０は、第１ケース部材４１に設けられた左側封止受部７３と、第２ケース部材４２に設けられた左側封止体７４とから構成されている。また、図４（ａ）および（ｂ）に示すように、左側封止受部７３の側面から左側封止受ブラケット７３ａを突設して第１ケース部材４１の一側面（図４（ａ）中、左側面）へ接続し、図５（ａ）に示すように、左側封止体７４の側面から左側封止ブラケット７４ａを突設して第２ケース部材４２の一側面（図５（ａ）中、左側面）へ接続している。さらに、左側封止体７４には、左側封止具７１を挿入するための左側封止挿入口７４ｂを開放し、該左側封止挿入口７４ｂを左側封止カバー７２で閉塞可能としている（図３参照）。そして、第１ケース部材４１と第２ケース部材４２とを重合して閉じると、左側封止受部７３と左側封止体７４とが重合方向Ａまたは離間方向Ｄに沿って並んで位置し、この状態で左側封止具７１を左側封止挿入口７４ｂから挿入して締め込むと、左側封止具７１が左側封止体７４と左側封止受部７３とを固着し、且つこの固着状態を解除不能とするように構成されている。
【００３６】
左側再封止機構６７は、図３〜図５に示すように、基板ボックス３４の一側（図３中、左側）に接続された左側再封止部７７と、ワンウェイねじ等の左側再封止具７８とを備えている。左側再封止部７７は、第１ケース部材４１に設けられた左側再封止受部８０と、第２ケース部材４２に設けられた左側再封止体８１とから構成されている。また、図４（ａ）に示すように、左側再封止受部８０の側面から左側再封止受ブラケット８０ａを突設して第１ケース部材４１の一側面（図４（ａ）中、左側面）のうち左側封止受ブラケット７３ａよりも上方の位置に接続し、さらには左側再封止受ブラケット８０ａと左側封止受ブラケット７３ａとを上下に連結している。また、図５（ａ）に示すように、左側再封止体８１の側面から左側再封止ブラケット８１ａを突設して第２ケース部材４２の一側面（図５（ａ）中、左側面）のうち左側封止ブラケット７４ａよりも上方の位置へ接続し、左側再封止体８１には、左側再封止具７８を挿入するための左側再封止挿入口８１ｂを開放している。そして、第１ケース部材４１と第２ケース部材４２とを重合して閉じると、左側再封止受部８０と左側再封止体８１とが重合方向Ａまたは離間方向Ｄに沿って並んで位置し、この状態で左側再封止具７８を左側再封止挿入口８１ｂから挿入して締め込むと、左側再封止具７８が左側再封止体８１と左側再封止受部８０とを固着し、且つこの固着状態を解除不能とするように構成されている。
【００３７】
右側封止ユニット４７Ｒは、第１ケース部材４１と第２ケース部材４２とを閉状態で固着して封止するための右側封止機構８６（本発明における封止機構に相当）と、該右側封止機構８６の破壊後に第１ケース部材４１と第２ケース部材４２とを閉状態で再固着して再封止するための右側再封止機構８７（本発明における再封止機構に相当）とを上下に並んだ状態で備え、右側封止機構８６を基板ボックス３４の下寄り（貼着ベース４４寄り）に配置するとともに右側再封止機構８７を基板ボックス３４の上寄りに配置している。
【００３８】
右側封止機構８６は、図３〜図５に示すように、基板ボックス３４の他側（図３中、右側）に接続された右側封止部９０と、ワンウェイねじ等の右側封止具９１と、右側封止具９１を被覆する右側封止カバー９２とを備えている。右側封止部９０は、第１ケース部材４１に設けられた右側封止受部９３と、第２ケース部材４２に設けられた右側封止体９４とから構成されている。また、図４（ａ）および（ｂ）に示すように、右側封止受部９３の外周面から右側封止受ブラケット９３ａを複数突設して第１ケース部材４１の他側面（図４（ａ）中、右側面）、第１ベース部５６の上面、第１ベース部５６の上面から上方へ向けて立設された封止支持部９６、該封止支持部９６の上端部と第１ケース部材４１との間に設けられた支持梁部９７へそれぞれ接続している。さらに、図５（ａ）および（ｂ）に示すように、右側封止体９４の外周面から右側封止ブラケット９４ａを複数突設して第２ケース部材４２の他側面（図５（ａ）中、右側面）および第２ベース部５７の上面へ接続し、右側封止体９４には、右側封止具９１を挿入するための右側封止挿入口９４ｂを開放し、右側封止挿入口９４ｂを右側封止カバー９２で閉塞可能としている（図３参照）。また、図５（ｂ）に示すように、右側封止体９４のうち右側封止受部９３側の端部（前端部）には円弧状の封止係合ストッパー９４ｃを設け、右側封止体９４が係合方向Ｂに沿って移動すると、封止係合ストッパー９４ｃが右側封止受部９３へ係合して、右側封止体９４と右側封止受部９３とが中心軸を揃えて位置決めできるように構成されている。そして、第１ケース部材４１と第２ケース部材４２とを重合して閉じると、右側封止受部９３と右側封止体９４とが重合方向Ａまたは離間方向Ｄに沿って並んで位置し、この状態で右側封止具９１を右側封止挿入口９４ｂから挿入して締め込むと、右側封止具９１が右側封止体９４と右側封止受部９３とを固着し、且つこの固着状態を解除不能とするように構成されている。
【００３９】
右側再封止機構８７は、図３〜図５に示すように、基板ボックス３４の他側（図３中、右側）に接続された右側再封止部９８と、ワンウェイねじ等の右側再封止具９９とを備えている。右側再封止部９８は、第１ケース部材４１に設けられた右側再封止受部１００と、第２ケース部材４２に設けられた右側再封止体１０１とから構成されている。また、図４（ａ）および（ｂ）に示すように、右側再封止受部１００の側面から右側再封止受ブラケット１００ａを突設して第１ケース部材４１の他側面（図４（ａ）中、右側面）のうち右側封止受ブラケット９３ａよりも上方の位置に接続し、さらには右側再封止受ブラケット１００ａと支持梁部９７とを上下に連結している。さらに、図５（ａ）および（ｂ）に示すように、右側再封止体１０１の側面から右側再封止ブラケット１０１ａを突設して第２ケース部材４２の他側面（図５（ａ）中、右側面）のうち右側封止ブラケット９４ａよりも上方の位置へ接続し、右側再封止体１０１には、右側再封止具９９を挿入するための右側再封止挿入口１０１ｂを開放している。また、図５（ｂ）に示すように、右側再封止体１０１のうち右側再封止受部１００側の端部（前端部）には円弧状の再封止係合ストッパー１０１ｃを設け、右側再封止体１０１が係合方向Ｂに沿って移動すると、再封止係合ストッパー１０１ｃが右側再封止受部１００へ係合して、右側再封止体１０１と右側再封止受部１００とが中心軸を揃えて位置決めできるように構成されている。そして、第１ケース部材４１と第２ケース部材４２とを重合して閉じると、右側再封止受部１００と右側再封止体１０１とが重合方向Ａまたは離間方向Ｄに沿って並んで位置し、この状態で右側再封止具９９を右側再封止挿入口１０１ｂから挿入して締め込むと、右側再封止具９９が右側再封止体１０１と右側再封止受部１００とを固着し、且つこの固着状態を解除不能とするように構成されている。
【００４０】
そして、ボックス封止ユニット４７は、左側再封止部７７の剛性を左側封止部７０の剛性よりも強く設定して、左側再封止機構６７を左側封止機構６６よりも破壊し難い構成とし、さらには、右側再封止部９８の剛性を右側封止部９０の剛性よりも強く設定して、右側再封止機構８７を右側封止機構８６よりも破壊し難い構成にしている。詳しくは、基板ボックス３４の中央部分から見て係合解除方向Ｃの上流側に位置する左側封止ユニット４７Ｌにおいては、左側封止部７０のうち左側封止体７４を支持する左側封止ブラケット７４ａを、左側封止体７４側から第１ケース部材４１側へ向かうにつれて上下幅が次第に縮幅する形状とし、左側封止ブラケット７４ａの裏面（左側封止受部７３側に臨ませた面）には支持リブ（図示せず）を１つ立設している。一方、左側再封止部７７のうち左側再封止体８１を支持する左側再封止ブラケット８１ａの上下幅を、左側再封止体８１側から第１ケース部材４１側に亘って均一であり、且つ左側封止ブラケット７４ａの上下幅よりも広い寸法に設定している。また、左側封止ブラケット７４ａの裏面（左側封止受部７３側に臨ませた面）には支持リブ（図示せず）を３つ立設している。このような構成を備えることにより、左側再封止ブラケット８１ａの断面積を左側封止ブラケット７４ａの断面積よりも広くして、左側再封止ブラケット８１ａを左側封止ブラケット７４ａよりも破断し難い構成とし、左側再封止部７７の剛性を左側封止部７０の剛性よりも強く設定している。この結果、左側封止ユニット４７Ｌは、左側再封止機構６７を左側封止機構６６よりも破壊し難い構成、言い換えると、第１ケース部材４１と第２ケース部材４２とを閉じた状態で封止する機能を失い難く、基板ボックス３４の開放を許容し難い構成に設定している。
【００４１】
また、基板ボックス３４の中央部分から見て係合解除方向Ｃの下流側に位置する右側封止ユニット４７Ｒにおいては、右側封止部９０の右側封止受ブラケット９３ａの断面および右側封止ブラケット９４ａの断面をそれぞれ薄肉の短冊状としている。一方、右側再封止部９８のうち右側再封止受部１００を支持する右側再封止受ブラケット１００ａを厚肉の断面Ｔ字状とし、右側再封止体１０１を支持する右側再封止ブラケット１０１ａを厚肉の断面Ｅ字状としている。このような構成を備えることにより、右側再封止受ブラケット１００ａの断面積を右側封止受ブラケット９３ａの断面積よりも広くして、右側再封止受ブラケット１００ａを右側封止受ブラケット９３ａよりも破断し難い構成とし、さらには、右側再封止ブラケット１０１ａの断面積を右側封止ブラケット９４ａの断面積よりも広くして、右側再封止ブラケット１０１ａを右側封止ブラケット９４ａよりも破断し難い構成としている。したがって、右側再封止部９８の剛性を右側封止部９０の剛性よりも強く設定している。この結果、右側封止ユニット４７Ｒは、右側再封止機構８７を右側封止機構８６よりも破壊し難い構成、言い換えると、第１ケース部材４１と第２ケース部材４２とを閉じた状態で封止する機能を失い難く、基板ボックス３４の開放を許容し難い構成に設定している。
【００４２】
次に、電子タグシール３６について説明する。
電子タグシール３６は、図８に示すように、不透明なシート材で形成された矩形状のベースシート１０４と、該ベースシート１０４の裏面側に貼着された長尺な電子タグ１０５とを備えて構成されている。また、該電子タグ１０５には、遊技制御装置３２に関する固有の識別情報（例えば、識別ＩＤ）が予め記憶されたチップ部（ＩＣチップ）１０６と、識別情報を発信可能なアンテナ部１０７とを備え（図８（ｂ），（ｃ）参照）、アンテナ部１０７から発信された識別情報を外部読取装置（図示せず）により読み取って、遊技制御装置３２が正規品であるか否かを確認可能としている。また、図８（ｂ）に示すように、矩形状のベースシート１０４の裏面側の対角線に沿って長尺なアンテナ部１０７を直線状に配置し、該アンテナ部１０７の中央部分にチップ部１０６を配置し、電子タグシール３６を貼着部４６へ貼着すると、電子タグ１０５が第１ケース部材４１と第２ケース部材４２との境界、詳しくは第１ベース部５６と第２ベース部５７との境界に交差して跨るように設定されている。
【００４３】
そして、図８（ａ）に示すように、電子タグシール３６の表面（ベースシート１０４の表面）、詳しくは、貼着部４６へ貼着した状態で遊技盤５の裏面側に位置する面には「開封禁止」の文字を印刷し、電子タグ１０５（チップ部１０６およびアンテナ部１０７）を含む電子タグシール３６の裏面全体、詳しくは、貼着部４６に対向する面の全体には粘着層１０８を設け、該粘着層１０８を介して電子タグシール３６を貼着部４６へ貼着可能としている。なお、アンテナ部１０７は、ベースシート１０４の対角線上に一直線に配置することが望ましいが、ベースシート１０４の対角線に平行な状態、あるいは多少傾斜した状態で配置してもよい。また、ベースシート１０４は、シール剥がし等の溶剤が付着したり、あるいは粘着層１０８の粘度が十分に低下する温度（例えば６０度）まで加熱されたりした場合には変色するように構成されている。したがって、不正行為者が不正に電子タグシール３６を貼着部４６から剥がそうとしたことをベースシート１０４の変色により把握することができる。
【００４４】
次に、電子タグシール３６を保護する保護カバー部材３７、および保護カバー部材３７と貼着ベース４４との間に設けられた構成について説明する。
保護カバー部材３７は、図９に示すように、側部が前方の第１ケース部材４１側へ向けて屈曲した屈曲板状の部材であり、電子タグシール３６よりもひと回り大きく形成されて、電子タグシール３６の全体を十分に被覆できるように構成されている。また、当該保護カバー部材３７の前寄りに位置する屈曲平面部分を第１カバー体１１１として第１貼着部５９の延在方向と同じ方向へ延在させ、当該保護カバー部材３７の後寄りに位置する平面部分を第２カバー体１１２として第２貼着部６０の本体部６０ａの延在方向と同じ方向へ延在させている。そして、貼着ベース４４上において保護カバー部材３７が電子タグシール３６の全体を十分に被覆可能となる位置をシール被覆位置とし、該シール被覆位置に保護カバー部材３７を配置すると、第１カバー体１１１が電子タグシール３６のうち第１貼着部５９と第２貼着部６０の屈曲部６０ｂとに貼着されている部分を被覆するとともに、第２カバー体１１２が電子タグシール３６のうち第２貼着部６０の本体部６０ａに貼着されている部分を被覆するように構成されている。
【００４５】
また、貼着ベース４４と保護カバー部材３７との間には、保護カバー部材３７を電子タグシール３６（詳しくは貼着部４６に貼着された状態の電子タグシール３６）の延在方向、具体的には上下方向に沿ってスライドさせるカバースライド機構１１５と、貼着部４６に貼着された電子タグシール３６を切って破壊するためのシール破壊機構１１６と、貼着ベース４４（基板ボックス３４）に保護カバー部材３７をシール被覆位置で止着するためのカバー止着機構（カバーかしめ機構）１１７とを備えている。
【００４６】
カバースライド機構１１５は、基板ボックス３４（詳しくは基板ボックス３４に設けられた貼着ベース４４）に対して保護カバー部材３７を着脱可能とする機構であり、保護カバー部材３７に設けられた複数のスライド係合部１２０（第１スライド係合部１２０ａ，第２スライド係合部１２０ｂ）と、貼着ベース４４に設けられた複数のスライド係合受部１２１（第１スライド係合受部１２１ａ，第２スライド係合受部１２１ｂ）とを備えて構成されている。そして、スライド係合部１２０をスライド係合受部１２１へ貼着ベース４４の下方から挿入して係合し、この状態で保護カバー部材３７を取付スライド方向（図７に実線の矢印Ｅで示す上方向）、詳しくは貼着ベース４４の下方からシール被覆位置へ向かう方向に沿ってスライドするように構成されている。
【００４７】
カバースライド機構１１５の構成を具体的に説明すると、図９（ａ）に示すように、第１カバー体１１１の前縁部に縦長な第１スライド係合部１２０ａを貼着部４６（第１貼着部５９）とは反対側（図９（ａ）中、右側）へ向けて突設し、第２カバー体１１２のうち基板ボックス３４の中央寄りに位置する側縁部（図９（ａ）中、左側縁部）には、縦長な第２スライド係合部１２０ｂを貼着部４６（第２貼着部６０）とは反対側となる後方へ向けて突設している。また、図７に示すように、第１ベース部５６のうち第１貼着部５９から側方（図７中、右側方）に外れた位置には、第１スライド係合部１２０ａを係合可能な第１スライド係合受部１２１ａを上下方向に延在する姿勢で備え、第１スライド係合受部１２１ａの内部には、第１スライド係合部１２０ａが通過可能な第１係合溝１２１ｃを上下両端が開放された状態で形成されている。そして、第１係合溝１２１ｃの下端開口を第１スライド係合部１２０ａが進入する入口とし、上端開口を第１スライド係合部１２０ａが引き出される出口としている。
【００４８】
さらに、第２ベース部５７の裏面のうち第２貼着部６０よりも基板ボックス３４の中央寄り（図７中、左寄り）に位置する箇所には、第２スライド係合部１２０ｂを係合可能な第２スライド係合受部１２１ｂを上下方向に延在する姿勢で備え、第２スライド係合受部１２１ｂの内部には、第２スライド係合部１２０ｂが通過可能な第２係合溝１２１ｄを上下両端が開放された状態で形成されている。そして、第２係合溝１２１ｄの下端開口を第２スライド係合部１２０ｂが進入する入口とし、上端開口を第２スライド係合部１２０ｂが引き出される出口としている。このような構成のカバースライド機構１１５により保護カバー部材３７をスライドして、第１スライド係合部１２０ａの長尺方向の中心部分と第１スライド係合受部１２１ａの長尺方向の中心部分とを揃えるとともに、第２スライド係合部１２０ｂの長尺方向の中心部分と第２スライド係合受部１２１ｂの長尺方向の中心部分とを揃えると、保護カバー部材３７がシール被覆位置に位置するように構成されている（図１２（ａ）参照）。
【００４９】
また、カバースライド機構１１５のうち第２スライド係合部１２０ｂと第２スライド係合受部１２１ｂとの間には、保護カバー部材３７を取付スライド方向Ｅとは反対の逆スライド方向（図７に破線の矢印Ｆで示す下方向）へスライドすることを規制するカバースライド規制部１２３を備えている。カバースライド規制部１２３は、第２スライド係合部１２０ｂに設けられたスライド規制片１２４と、該スライド規制片１２４が逆スライド方向Ｆから係止可能なスライド規制受部１２５とから構成されている。具体的に説明すると、図９（ａ）および図１２（ｂ）に示すように、第２スライド係合部１２０ｂの長手方向の中間部にはスライド規制片１２４を後方の第２スライド係合受部１２１ｂ側へ突出する状態で備え、このスライド規制片１２４を当該スライド規制片１２４の下端部（言い換えると、取付スライド方向Ｅの後端に位置する部分）が自由端となる片持ち支持姿勢とし、第２スライド係合部１２０ｂを挟んで第２係合溝１２１ｄから外れる前方へ撓み得るように構成されている。また、図５（ｂ）および図１２（ｂ）に示すように、第２係合溝１２１ｄの長手方向の中間部を後方へ向けて凹ませてスライド規制受部１２５を形成し、スライド規制片１２４の下端部を逆スライド方向Ｆから係止可能としている。なお、カバースライド規制部１２３の作用については、後で詳細にする。
【００５０】
シール破壊機構１１６は、第２貼着部６０の本体部６０ａに形成された縦長溝状の破壊用凹部１２８と、第２カバー体１１２から突設された破壊用凸部１２９とから構成されている。詳しくは、図７に示すように、第２貼着部６０の本体部６０ａのうち第１貼着部５９寄り（図７中、右寄り）の位置を前方の第１ベース部５６側へ向けて溝状に凹ませて破壊用凹部１２８を形成し、この破壊用凹部１２８を取付スライド方向Ｅに沿って延在させている。さらに、破壊用凹部１２８の上端（取付スライド方向Ｅの先端に位置する部分）を第２ベース部５７の上方へ開放するとともに、破壊用凹部１２８の下端（取付スライド方向Ｅの後端に位置する部分）を、第２ベース部５７の下部に形成された凹部連通溝１３０を介して第２ベース部５７の下方へ開放し、破壊用凹部１２８の下端開口を破壊用凸部１２９が進入する入口とし、上端開口を破壊用凸部１２９が脱出する出口としている。また、図９（ｂ）に示すように、第２カバー体１１２の下部のうち第２貼着部６０の本体部６０ａに対向する前面から破壊用凸部１２９を突設し、保護カバー部材３７をシール被覆位置に位置させた状態では、図１１に示すように、破壊用凸部１２９が破壊用凹部１２８よりも下方において、破壊用凹部１２８と取付スライド方向Ｅに沿って直線上に並んで位置するように構成されている。そして、破壊用凸部１２９の横幅（取付スライド方向Ｅとは直交する方向）を破壊用凹部１２８の溝幅よりも狭く設定して、破壊用凸部１２９が破壊用凹部１２８内を取付スライド方向Ｅに沿って移動可能とし、破壊用凸部１２９のうち取付スライド方向Ｅの先端に位置する上部を鋭角にして、電子タグシール３６を切るための刃先（カッター）１２９ａを形成している。
【００５１】
カバー止着機構１１７は、保護カバー部材３７の下部に接続された円筒状のカバー止着体１３２と、基板ボックス３４の第２ベース部５７に設けられたカバー止着受部１３３と、カバー止着体１３２とカバー止着受部１３３とを止着可能、且つ止着状態を解除不能とするカバー止着具１３４とを備えて構成されている。詳しくは、図９（ａ）に示すように、第２カバー体１１２の下部のうち破壊用凸部１２９よりも第２スライド係合部１２０ｂ寄り（図９（ａ）中、左寄り）の位置にカバー止着体１３２を設け、カバー止着体１３２の上部および側部（図９（ａ）中、右側部）からは止着ブラケット１３２ａを突設して第２カバー体１１２へそれぞれ接続している。また、カバー止着体１３２には、カバー止着具１３４を挿入するための止着挿入口１３２ｂを開放し、該止着挿入口１３２ｂを止着具キャップ１３５で閉塞可能とし（図３参照）、該カバー止着体１３２のうち第１カバー体１１１側となる前側には円弧状の止着ストッパー１３２ｃ（図９（ｂ）参照）を設けている。
【００５２】
さらに、図７に示すように、第２ベース部５７の下部のうち凹部連通溝１３０よりも基板ボックス３４の中央寄り（図７中、左寄り）の位置を円筒状に凹ませて止着体収容部１３６を形成し、該止着体収容部１３６内の前寄りの位置（第１ベース部５６寄りの位置）にカバー止着受部１３３を設けている。そして、図１１に示すように、保護カバー部材３７をシール被覆位置に位置させると、カバー止着体１３２が止着体収容部１３６内に進入してカバー止着受部１３３と前後方向に並び、止着ストッパー１３２ｃがカバー止着受部１３３へ係合してカバー止着体１３２とカバー止着受部１３３とが位置決めされる。この状態でカバー止着具１３４を止着挿入口１３２ｂから挿入して締め込むと、カバー止着具１３４がカバー止着体１３２とカバー止着受部１３３とを固着し、且つこの固着状態を解除不能とするように構成されている。また、止着ブラケット１３２ａを切断してカバー止着機構１１７を破壊しない限り、保護カバー部材３７の貼着ベース４４への止着を解除不能としている。
【００５３】
そして、基板ボックス３４は、第２ベース部５７（貼着ベース４４）の下部に、縦向き姿勢の当接支持腕部１３９を破壊用凹部１２８の下端開口の縁部から凹部連通溝１３０に沿って垂設して下端を自由端とし、この下端（自由端）には下向き鏃状の凸部当接部材１４０を設け、該凸部当接部材１４０の基端部分（上端部分）を凹部連通溝１３０内に突出させている。また、貼着ベース４４の上方に位置する右側封止機構８６、言い換えると、シール被覆位置または貼着部４６から取付スライド方向Ｅへずれた箇所に位置する右側封止機構８６を第２貼着部６０よりも貼着ベース４４の後方（基板ボックス３４の後方）へ向けて突出させ（図１２（ｃ）参照）、シール被覆位置から取付スライド方向Ｅへスライドしてきた保護カバー部材３７が右側封止機構８６に当接可能としている。さらに、右側封止体９４の側部（図７中、右側部）からカバー位置決め当接片１４２を突設し、保護カバー部材３７の上縁部がカバー位置決め当接片１４２に当接すると、保護カバー部材３７がシール被覆位置に位置決めされるように構成されている。そして、右側封止機構８６の上方に位置する右側再封止機構８７、言い換えると、右側封止機構８６から取付スライド方向Ｅへずれた箇所に位置する右側再封止機構８７を第２貼着部６０よりも貼着ベース４４の前方へずらして配置し（図１２（ｃ）参照）、シール被覆位置から取付スライド方向Ｅへスライドしてきた保護カバー部材３７と右側再封止機構８７とを当接不能としている。
【００５４】
さらに、保護カバー部材３７は、カバー止着体１３２の側部（図９（ａ）中、右側部）から横向き短冊状のボックス当接片１４４を第１カバー体１１１側（図９（ａ）中、右側）へ向けて延設し、ボックス当接片１４４と第２カバー体１１２の下縁部とを当接片ブラケット１４４ａで接続している。そして、保護カバー部材３７を取付スライド方向Ｅにスライドしてボックス当接片１４４を第２ベース部５７の下面へ当接すると、保護カバー部材３７がシール被覆位置に位置決めされ、さらにボックス当接片１４４が凹部連通溝１３０の下端開口を閉成するように構成されている。
【００５５】
上記構成を備えた遊技制御装置３２を組み立てるには、まず、制御基板３５を第２ケース部材４２の内側へ止着して配線コネクタ３５ｂをコネクタ開口４２ａに臨ませ、この状態で第２ケース部材４２を制御基板３５と第１ケース部材４１の内側とが対向する姿勢に設定する。第２ケース部材４２の姿勢を設定したならば、図６（ａ）に示すように、第２ケース部材４２を重合方向Ａに沿って移動して第１ケース部材４１へ重合させるとともに、係合片５１を嵌脱部５２へ通す。そして、第２ケース部材４２を係合方向Ｂへスライドして係合片５１を係合溝部５０へ係合させて第１ケース部材４１と第２ケース部材４２とを係合状態（閉じた状態）にする。すると、基板ボックス３４は、第１貼着部５９と第２貼着部６０の側縁部とを上下両縁部がそれぞれ直線状に揃う状態で接続し、左側封止体７４と左側封止受部７３、左側再封止体８１と左側再封止受部８０、右側封止体９４と右側封止受部９３、右側再封止体１０１と右側再封止受部１００をそれぞれ重合する。
【００５６】
第１ケース部材４１と第２ケース部材４２とを係合して閉じたならば、図７に示すように、電子タグシール３６を貼着する前に、第１ベース部５６と第２ベース部５７とをベース止着具６３で止着して第１ケース部材４１と第２ケース部材４２とを係止する。また、左側封止体７４と左側封止受部７３とを左側封止具７１で固着するとともに、右側封止体９４と右側封止受部９３とを右側封止具９１で固着して、第１ケース部材４１と第２ケース部材４２とを閉じた状態で封止する。さらに、左側封止挿入口７４ｂに左側封止カバー７２を溶着する等して閉塞して左側封止体７４内の左側封止具７１の頭部を被覆する一方、右側封止挿入口９４ｂに右側封止カバー９２を溶着する等して閉塞して右側封止体９４内の右側封止具９１の頭部を被覆する。なお、左側再封止体８１には左側再封止具７８を左側再封止挿入口８１ｂから挿入するが、左側再封止具７８の先端を左側再封止受部８０に到達させずに左側再封止体８１内で留まる状態（仮止め状態）とし、左側再封止体８１と左側再封止受部８０とを固着しない。また、右側再封止体１０１には右側再封止具９９を右側再封止挿入口１０１ｂから挿入するが、右側再封止具９９の先端を右側再封止受部１００に到達させずに右側再封止体１０１内で留まる状態（仮止め状態）とし、右側再封止体１０１と右側再封止受部１００とを固着しない。
【００５７】
そして、電子タグシール３６を当該電子タグシール３６の縁部が貼着部４６の縁部に沿う状態、且つ「開封禁止」の文字が取付スライド方向Ｅに沿って並ぶ姿勢で貼着する。すると、電子タグシール３６は、図１０に示すように、「開封禁止」の文字よりも第１貼着部５９側に位置する部分が前方の第１ベース部５６側へ折り曲げられた状態で貼着され、ベースシート１０４でベース止着孔６１および破壊用凹部１２８の後側の縦長な開放部分を被覆（閉成）する。また、電子タグシール３６の下縁部の一部を破壊用凹部１２８の下端開口に臨ませ、チップ部１０６を破壊用凹部１２８に重合させる。
【００５８】
貼着部４６に電子タグシール３６を貼着したならば、図１０に示すように、保護カバー部材３７をカバー止着体１３２が下側に位置する姿勢、且つ、第１スライド係合部１２０ａが第１スライド係合受部１２１ａの直下に位置するとともに、第１スライド係合部１２０ａが第１スライド係合受部１２１ａの直下に位置する姿勢で貼着ベース４４の下方に配置する。この状態で保護カバー部材３７を上方へ移動して、第１スライド係合部１２０ａを第１スライド係合受部１２１ａの入口へ挿入するとともに、第２スライド係合部１２０ｂを第２スライド係合受部１２１ｂの入口へ挿入する。さらに、保護カバー部材３７を上方へ移動すると、保護カバー部材３７がカバースライド機構１１５により取付スライド方向Ｅへスライドし、スライド規制片１２４を第２スライド係合受部１２１ｂの入口の開口縁で押圧して撓ませながら第２係合溝１２１ｄ内に進入させる。また、破壊用凸部１２９が凹部連通溝１３０内に進入し、凸部当接部材１４０を退けて当接支持腕部１３９を撓ませながら取付スライド方向Ｅへ進んで破壊用凹部１２８の下端に近づく。そして、保護カバー部材３７の上縁部がカバー位置決め当接片１４２に当接するとともに、ボックス当接片１４４が第２ベース部５７の下面へ当接して保護カバー部材３７の取付スライド方向Ｅへのスライドを規制すると、図１１および図１２（ａ）に示すように、保護カバー部材３７がシール被覆位置に位置決めされて電子タグシール３６を被覆する。
【００５９】
このとき、カバー止着機構１１７においては、止着ストッパー１３２ｃがカバー止着受部１３３へ係合してカバー止着体１３２とカバー止着受部１３３とが位置決めされる。また、カバースライド規制部１２３においては、図１２（ｂ）に示すように、スライド規制片１２４がスライド規制受部１２５に到達したことで撓み状態を解除されてスライド規制受部１２５内に逆スライド方向Ｆから係止し、保護カバー部材３７の逆スライド方向Ｆへのスライドを規制する。さらに、凹部連通溝１３０内においては、図１２（ｃ）に示すように、破壊用凸部１２９が凸部当接部材１４０よりも上方の破壊用凹部１２８側に位置して凸部当接部材１４０を退ける状態（押圧状態）を解除し、当接支持腕部１３９が撓み状態から復元して凸部当接部材１４０が凹部連通溝１３０内に突出する。この結果、凸部当接部材１４０が破壊用凸部１２９に取付スライド方向Ｅから当接して破壊用凸部１２９を被覆し、破壊用凸部１２９および保護カバー部材３７の逆スライド方向Ｆへのスライドを規制する。したがって、保護カバー部材３７の取付スライド方向Ｅへのスライドを阻止する構成で、破壊用凸部１２９が不正に保護カバー部材３７から切除されることをも阻止することができる。また、ボックス当接片１４４が凹部連通溝１３０の下端開口を塞いでいるので、凸部当接部材１４０が不正に破壊用凸部１２９から外されてしまうこと、ひいては破壊用凸部１２９が不正に切除されることを未然に防ぐことができる。
【００６０】
保護カバー部材３７をシール被覆位置に位置決めしてスライドを規制した後、図１１に示すように、カバー止着具１３４でカバー止着体１３２とカバー止着受部１３３とを止着（固着）して保護カバー部材３７を取り外し不能とし、さらにはカバー止着体１３２に止着具キャップ１３５を溶着してカバー止着具１３４を被覆して、遊技制御装置３２の組み立てが完了する。組み立てられた遊技制御装置３２は、第１ケース部材４１が装着ベース３０に対向する姿勢とした状態で装着ベース３０に装着される。このとき、貼着部４６には保護カバー部材３７を装着しているので、電子タグシール３６が不用意に傷ついたりして識別情報を発信不能となる不都合を未然に防ぐことができる。
【００６１】
なお、例えば電子タグシール３６を不正に部品取りする目的で、カバー位置決め当接片１４２を切除したりカバー止着機構１１７を破壊したりして保護カバー部材３７を取り外そうとしたとしても、図１２（ｃ）に示すように、右側封止機構８６を保護カバー部材３７（詳しくは、カバースライド機構１１５により取付スライド方向Ｅへスライドしている保護カバー部材３７）が当接可能な位置に配置しているので、わざわざ右側封止機構８６を破壊しなければ保護カバー部材３７を取り外すことができない。したがって、基板ボックス３４を封止するための構成で保護カバー部材３７の取り外しを規制することができる。
【００６２】
このようにして組み立てられた遊技制御装置３２においては、次のような手順を行えば基板ボックス３４を開放することができる。まず、遊技制御装置３２を装着ベース３０から外し、図１３に示すように、右側封止部９０の右側封止受ブラケット９３ａおよび右側封止ブラケット９４ａを工具（例えばニッパー）で全て切断して右側封止機構８６を破壊（具体的には基板ボックス３４から切除）する。なお、保護カバー部材３７の上縁部に当接していたカバー位置決め当接片１４２は、右側封止機構８６とともに基板ボックス３４から外される。
【００６３】
次に、カバー止着機構１１７の止着ブラケット１３２ａおよびボックス当接片１４４の当接片ブラケット１４４ａを工具（例えばニッパー）で切断してカバー止着機構１１７を破壊する。このようにして保護カバー部材３７の止着状態を解除したならば、保護カバー部材３７を取付スライド方向Ｅ（上方）へスライドさせる。このとき、カバースライド規制部１２３においては、スライド規制片１２４が第２スライド係合受部１２１ｂの上縁部に押圧され、前方の第２ベース部５７側へ撓んでスライド規制受部１２５から外れ、保護カバー部材３７の取付スライド方向Ｅへのスライドを許容する。また、保護カバー部材３７のスライドに伴って、破壊用凸部１２９が凸部当接部材１４０から上方へ離れて破壊用凹部１２８内に進入し、破壊用凹部１２８の下端開口に臨ませた電子タグシール３６の下縁部に刃先１２９ａを押圧して、電子タグシール３６を縁から切り始める。さらに、図１４に示すように、破壊用凸部１２９が破壊用凹部１２８内を移動して、電子タグシール３６のうち破壊用凹部１２８を覆う部分を切って電子タグシール３６を破壊し、さらには破壊用凹部１２８に重合していたチップ部１０６を押圧して電子タグシール３６から脱離させる。したがって、保護カバー部材３７（言い換えると電子タグシール３６を保護する構成）を取り外すだけで電子タグシール３６を破壊することができ、電子タグシール３６の不正な再利用を阻止するための処理を簡単に実行することができる。また、保護カバー部材３７を取り外せばチップ部１０６が電子タグシール３６から脱離するので、電子タグシール３６の発信機能（詳しくは識別情報を発信する機能）を無効化することができ、電子タグシール３６が不正に再利用される不都合を一層阻止することができる。
【００６４】
また、カバースライド規制部１２３が保護カバー部材３７の取付スライド方向Ｅへのスライドを許容するが、逆スライド方向Ｆへのスライドを規制するので、電子タグシール３６が破壊されずに保護カバー部材３７が取り外される不都合、ひいては電子タグシール３６が破壊されていない状態で部品取りされて不正に再利用される不都合を阻止することができる。さらに、図１２（ｃ）に示すように、右側再封止機構８７を保護カバー部材３７（詳しくは、カバースライド機構１１５により取付スライド方向Ｅへスライドしている保護カバー部材３７）が当接不能な位置に配置しているので、右側再封止機構８７が保護カバー部材３７の取り外し作業の邪魔にならず、保護カバー部材３７の取り外し後に利用する予定の右側再封止機構８７を破壊する必要がない。
【００６５】
保護カバー部材３７をカバースライド機構１１５により取付スライド方向Ｅへスライドし続け、図１５に示すように、破壊用凸部１２９が電子タグシール３６を左右に切断して破壊用凹部１２８の上端開口から外れると、カバースライド機構１１５がスライド係合部１２０とスライド係合受部１２１との係合を解除し、保護カバー部材３７が貼着ベース４４から外れる。保護カバー部材３７を取り外して電子タグシール３６が破壊された状態で露出したならば、電子タグシール３６のうちベース止着孔６１を被覆している箇所を切り取る等してベース止着具６３の頭部を露出させ、露出したベース止着具６３を取り外す。さらに、左側封止部７０の左側封止ブラケット７４ａを工具（例えばニッパー）で切断して左側封止機構６６を破壊する。このようにして第２ケース部材４２の係合解除方向Ｃへの移動を許容した後、第２ケース部材４２を係合解除方向Ｃへ移動し、さらに離間方向Ｄへ移動すると、基板ボックス３４が開放される。このとき、第１貼着部５９と第２貼着部６０とが左右に分離し、電子タグシール３６が第１貼着部５９と第２貼着部６０との境界に沿って破れる。したがって、基板ボックス３４を開く動作によっても電子タグシール３６を破壊することができ、電子タグシール３６の不正な再利用を確実に阻止することができる。
【００６６】
また、基板ボックス３４の開放作業においては、カバー止着機構１１７を破壊して保護カバー部材３７を基板ボックス３４から取り外すと、基板ボックス３４にカバー止着体１３２をボックス当接片１４４が当接した状態で残すので、基板ボックス３４にカバー止着体１３２およびボックス当接片１４４を保護カバー部材３７の取り外し動作の痕跡として残すことができ、保護カバー部材３７が取り外されたこと、例えば、不正行為者が不正に基板ボックス３４を開放しようとして保護カバー部材３７を取り外したことを容易に把握することができる。
【００６７】
ところで、遊技制御装置３２に対して不正行為が行われた可能性がある場合には、所轄の警察もしくは遊技場側の正規な作業（不正行為を伴わない作業）により、上記手順にしたがって基板ボックス３４を開放し、目視等により制御基板３５に不正部品が搭載されていないか否か等のチェックが行われる。このチェックの結果、遊技制御装置３２に異常が認められなかった場合には、交換用の新たな遊技制御装置３２が準備できるまで（例えば、メーカーから遊技場に到着するまで）の間に限り、チェック済みの遊技制御装置３２を電子タグシール３６が破れた状態、および保護カバー部材３７と右側封止機構８６とが外れた状態で再び組み立てて仮使用する。
【００６８】
遊技制御装置３２の再組立について説明すると、まず、制御基板３５を第２ケース部材４２から外している場合には、制御基板３５を第２ケース部材４２の内側へ止着して配線コネクタ３５ｂをコネクタ開口４２ａに臨ませ、この状態で第２ケース部材４２を制御基板３５と第１ケース部材４１の内側とが対向する姿勢に設定する。第２ケース部材４２の姿勢を設定したならば、図６（ａ）に示すように、第２ケース部材４２を重合方向Ａに沿って移動して第１ケース部材４１へ重合させるとともに、係合片５１を嵌脱部５２へ通す。そして、第２ケース部材４２を係合方向Ｂへスライドして係合片５１を係合溝部５０へ係合させて第１ケース部材４１と第２ケース部材４２とを係合状態（閉じた状態）にする。すると、基板ボックス３４は、左側再封止体８１と左側再封止受部８０、右側再封止体１０１と右側再封止受部１００をそれぞれ重合し、左側封止体７４と左側封止受部７３とが固着された状態の左側封止機構６６を第２ケース部材４２の側部へ接近させる。
【００６９】
第１ケース部材４１と第２ケース部材４２とを係合して閉じたならば、ベース止着具６３により第１ベース部５６と第２ベース部５７とを止着して、第１ケース部材４１と第２ケース部材４２とを係止する。また、予め左側再封止体８１に仮止めされていた左側再封止具７８を十分に締め込んで左側再封止体８１と左側再封止受部８０とを固着するとともに、予め右側再封止体１０１に仮止めされていた右側再封止具９９を十分に締め込んで右側再封止体１０１と右側再封止受部１００とを固着して、第１ケース部材４１と第２ケース部材４２とを閉じた状態で再封止する。このようにして、左側封止機構６６および右側封止機構８６の破壊後から新品交換までの間に基板ボックス３４および制御基板３５を仮使用（例えば、基板ボックス３４および制御基板３５に異常がないことを確認した上で一時的に使用）する場合であっても、左側再封止機構６７および右側再封止機構８７を用いて基板ボックス３４を封止することができる。そして、左側再封止機構６７と右側再封止機構８７とにより、第１ケース部材４１と第２ケース部材４２とを閉じた状態で再固着して再封止したならば、遊技制御装置３２を第１ケース部材４１が装着ベース３０に対向する姿勢に設定し、この状態で装着ベース３０へ装着する。
【００７０】
また、仮使用される遊技制御装置３２は、仮使用終了後においては、再封止された基板ボックス３４を開放せずに（制御基板３５の再チェックを行わずに）交換用の新たな遊技制御装置３２に交換される。ここで、左側再封止機構６７を左側封止機構６６よりも破壊し難い構成にするとともに、右側再封止機構８７を右側封止機構８６よりも破壊し難い構成にしているので、遊技盤５（パチンコ遊技機１）から外されて交換される予定の基板ボックス３４、言い換えると、仮使用終了後に開封不要な基板ボックス３４において、左側再封止機構６７および右側再封止機構８７を無駄に破壊し易くしておかずに済み、制御基板３５に対するセキュリティが不必要に弱くなる不都合を抑制することができる。さらに、左側再封止部７７の剛性を左側封止部７０の剛性よりも強く設定して左側再封止機構６７を左側封止機構６６よりも破壊し難い構成に設定するとともに、右側再封止部９８の剛性を右側封止部９０の剛性よりも強く設定して右側再封止機構８７を右側封止機構８６よりも破壊し難い構成に設定したので、左側再封止機構６７および右側再封止機構８７を無駄に破壊し易くしておかずに済む構成を、簡単に実現することができる。
【００７１】
ところで、上記実施形態では、保護カバー部材３７を取り外すと電子タグシール３６が２つに切り離されて破壊されるように構成したが、本発明はこれに限定されない。例えば、保護カバー部材３７を取り外すと、破壊用凸部１２９が電子タグシール３６の一部を切って破壊するように構成してもよい。具体的には、カバースライド機構が保護カバー部材３７をシール被覆位置からスライドさせるスライド長さを貼着状態における電子タグシール３６の取付スライド方向Ｅに沿った長さよりも短く設定する。そして、保護カバー部材３７をシール被覆位置から取付スライド方向Ｅへスライドすれば、破壊用凸部１２９が電子タグシール３６を切り始めるが、破壊用凸部１２９が電子タグシール３６を２つに切り離す前にカバースライド機構１１５の係合状態が解除される。この解除状態で保護カバー部材３７および破壊用凸部１２９を電子タグシール３６から離せば、電子タグシール３６に縁部から切り込みを入れたり電子タグシール３６の一部を切除したりして電子タグシール３６を破壊することができる。
【００７２】
また、上記実施形態では、カバースライド規制部１２３のスライド規制片１２４を保護カバー部材３７に設け、スライド規制受部１２５を基板ボックス３４（貼着ベース４４）に設けたが、本発明はこれに限定されない。要は、保護カバー部材３７を取付スライド方向Ｅとは反対方向へスライドすることを規制することができれば、どのような構成のカバースライド規制部であってもよい。例えば、スライド規制受部を保護カバー部材３７に設け、スライド規制片を基板ボックス３４に設けてもよい。
【００７３】
また、上記実施形態では、代表的な遊技機であるパチンコ遊技機を例にして説明したが、本発明はこれに限らず、遊技制御実行用の電子部品が実装された制御基板と、該制御基板を内部に収納するための基板ボックスと、予め記憶された固有の識別情報を発信可能な電子タグを有する電子タグシールと、を備え、前記基板ボックスの表面には、前記電子タグシールを貼着するための貼着部を備えた遊技機であればどのような遊技機でもよい。例えば、封入球式パチンコ機、アレンジボール式遊技機、雀球式遊技機等の遊技機であってもよい。
【００７４】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【符号の説明】
【００７５】
１  パチンコ遊技機
５  遊技盤
３２  遊技制御装置
３４  基板ボックス
３５  制御基板
３６  電子タグシール
３７  保護カバー部材
４１  第１ケース部材
４２  第２ケース部材
４４  貼着ベース
４６  貼着部
５６  第１ベース部
５７  第２ベース部
５９  第１貼着部
６０  第２貼着部
６６  左側封止機構
６７  左側再封止機構
８６  右側封止機構
８７  右側再封止機構
１０５  電子タグ
１０６  チップ部
１１５  カバースライド機構
１１６  シール破壊機構
１１７  カバー止着機構
１２０  スライド係合部
１２１  スライド係合受部
１２３  カバースライド規制部
１２４  スライド規制片
１２５  スライド規制受部
１２８  破壊用凹部
１２９  破壊用凸部
１３２  カバー止着体
１３３  カバー止着受部
１３４  カバー止着具
１３９  当接支持腕部
１４０  凸部当接部材
１４２  カバー位置決め当接片
１４４  ボックス当接片
【図１】
2011130886.tif 000003
【図２】
2011130886.tif 000004
【図３】
2011130886.tif 000005
【図４】
2011130886.tif 000006
【図５】
2011130886.tif 000007
【図６】
2011130886.tif 000008
【図７】
2011130886.tif 000009
【図８】
2011130886.tif 000010
【図９】
2011130886.tif 000011
【図１０】
2011130886.tif 000012
【図１１】
2011130886.tif 000013
【図１２】
2011130886.tif 000014
【図１３】
2011130886.tif 000015
【図１４】
2011130886.tif 000016
【図１５】
2011130886.tif 000017